(57)【要約】【課題】複数の足場用建枠を正確に位置決めして段積みすることが可能な低コストの足場用建枠整理具を提供する。【解決手段】６個の建枠外側規制部材１１１、１１２、１２１、１２２、１２３、１２４が、複数の足場用建枠の外側で該複数の足場用建枠の段積み位置、すなわち略水平方向の位置を規制し、６個の建枠内側規制部材２１１、２１２、２２１、２２２、２２３、２２４が、複数の足場用建枠の内側で該複数の足場用建枠の段積み位置、すなわち略水平方向の位置を規制する。各規制部材の上端部に設けられたテーパ形状により、複数の足場用建枠が整理具の内側へと誘導され、横方向及び縦方向の位置決めが行われる。【選択図】図１
2009114763.tif 000002
【特許請求の範囲】
【請求項１】
平積み状態にある複数の足場用建枠を上方より誘導して該複数の足場用建枠の段積み状態を整える足場用建枠整理具であって、
上方へ延伸する柱形状を有し、前記複数の足場用建枠の外側に接触して前記複数の足場用建枠の段積み位置を規制する複数の建枠外側規制部材と、
上方へ延伸する柱形状を有し、前記複数の建枠外側規制部材と協働するように配置され、前記複数の足場用建枠の内側と接触して前記複数の足場用建枠の段積み位置を規制する複数の建枠内側規制部材と
を略水平方向に設置されている基底部材に備え、
前記複数の建枠外側規制部材の上端部は、外側から内側に向かって低くなるように傾斜するテーパ形状を有し、前記複数の建枠内側規制部材の上端部は、前記複数の建枠外側規制部材の上端部とは逆方向に傾斜するテーパ形状を有していることを特徴とする足場用建枠整理具。
【請求項２】
前記複数の建枠外側規制部材は、前記複数の建枠内側規制部材と同数設けられており、それぞれ前記複数の建枠内側規制部材と対向して配置してある請求項１記載の足場用建枠整理具。
【請求項３】
前記複数の足場用建枠はそれぞれ、一対の縦杆と、該一対の縦杆の一端間を連結する横杆と、前記横杆の両内側部から前記一対の縦杆の他端方向へ延伸し前記一対の縦杆に結合する一対の補強材とからなる鳥居型建枠であり、
前記複数の建枠外側規制部材は、前記横杆の外側に接触することで前記複数の足場用建枠の段積み位置を規制する少なくとも２個の横杆外側規制部材と、前記縦杆の外側に接触することで前記複数の足場用建枠の段積み位置を規制する少なくとも４個の縦杆外側規制部材とを備え、
前記複数の建枠内側規制部材は、前記横杆の内側に接触することで前記複数の足場用建枠の段積み位置を規制する少なくとも２個の横杆内側規制部材と、前記縦杆又は前記補強材の内側と接触することで前記複数の足場用建枠の段積み位置を規制する少なくとも４個の縦杆又は補強材内側規制部材とを備え、
少なくとも２個の前記横杆外側規制部材及び少なくとも２個の前記横杆内側規制部材の高さは、少なくとも４個の前記縦杆外側規制部材及び少なくとも４個の前記縦杆又は補強材内側規制部材の高さよりも低い請求項２記載の足場用建枠整理具。
【請求項４】
少なくとも２個の前記横杆内側規制部材のそれぞれの上端部近傍と、少なくとも４個の前記縦杆又は補強材内側規制部材のうちの少なくとも２個の縦杆又は補強材内側規制部材の上端部近傍とを連結する少なくとも２個の連結部材をさらに備えた請求項３記載の足場用建枠整理具。
【請求項５】
少なくとも２個の前記連結部材はそれぞれ上面視でＴ字形状を有している請求項４記載の足場用建枠整理具。
【発明の詳細な説明】
【技術分野】
【０００１】
本発明は、建築現場にて足場を組む際に用いられる複数の建枠を搬送するために平積み状態にされた複数の建枠の水平位置を整える足場用建枠整理具に関する。
【背景技術】
【０００２】
従来、建築現場にて建物の建設や外壁塗装を行う場合には、複数の建枠の縦杆を筋違いで連結して建物の周囲に立設し、複数の建枠の横杆上に足場布板を掛けたものを該足場布板に設けられたフックで連結することにより足場を構築している。
【０００３】
建物の建設、外壁塗装等が完了した場合、足場を構築していた複数の建枠は、一本一本に分解され、不具合箇所の点検及び付着物の清掃の後、フォークリフトの爪又はワイヤーロープが入るように地面に敷いた２本の角材上に積み上げられ、結束鉄線又は結束鉄帯で結束されて固定される。固定された複数の建枠は、フォークリフト又はワイヤーロープに連結されたクレーンで持ち上げられ、トラックまで搬送される。
【０００４】
上記２本の角材上に、幅約９０ｃｍから約１２０ｃｍ、長さ約１７０ｃｍの大きさ、約１５ｋｇの重量のある建枠（例えば、標準的な鳥居型建枠）を一本一本人手により積み上げる作業は、作業者には相当な労力を要していた。また、積み上げる場合に、容積効率を向上させて結束を容易にするために、複数の建枠を、一本一本人手により縦杆方向で１８０度反転させ横杆方向で一定間隔ずらしながら正確に位置決めして段積みしている。このような段積み作業は、建枠の上記大きさ及び重量と相俟って、効率の悪い作業となっている。
【０００５】
斯かる問題を解決するために、特許文献１には、鳥居型建枠の一方の縦杆を両側から把持し、他方の縦杆を内側から引っ掛けて鳥居型建枠を吊り上げ、水平方向に移送し、必要に応じて１８０度旋回させ、段積みするローダ部と、該ローダ部を支持し鳥居型建枠を載置する構造部材と、段積みされた鳥居型建枠を搬送するコンベア部とからなる建築用鳥居型建枠移載装置が開示されている。なお、特許文献１には、コンベア部に代えて、フォークリフトにより、段積みされた鳥居型建枠を搬出してもよい、という記載がある。
【０００６】
斯かる構成により、作業者の労力を要することなく、任意の形状や大きさの鳥居型建枠を任意の段数だけ、簡単に整然と段積みすることが可能となる。
【特許文献１】特開平１０−１１５０８３号公報
【発明の開示】
【発明が解決しようとする課題】
【０００７】
特許文献１に記載の構成によれば、作業者の労力を要することなく、任意の形状や大きさの鳥居型建枠を任意の段数だけ、簡単に整然と段積みすることができるという効果を奏することはできるが、鳥居型建枠を正確に位置決めして段積みする手段については、何ら提案されていない。
【０００８】
また、特許文献１に記載の装置は、鳥居型建枠の段積みを自動化することを目的として考案されたものであり、必然的に装置が大型化し、装置自体のコスト、及び建築現場まで装置を搬送するのに要するコストが高くなる。
【０００９】
本発明は、上記の問題点に鑑みてなされたものであり、複数の足場用建枠を正確に位置決めして段積みすることができる、低コストの足場用建枠整理具を提供することを目的とする。
【課題を解決するための手段】
【００１０】
上記目的を達成するために、第１発明に係る足場用建枠整理具は、平積み状態にある複数の足場用建枠を上方より誘導して該複数の足場用建枠の段積み状態を整える足場用建枠整理具であって、上方へ延伸する柱形状を有し、前記複数の足場用建枠の外側に接触して前記複数の足場用建枠の段積み位置を規制する複数の建枠外側規制部材と、上方へ延伸する柱形状を有し、前記複数の建枠外側規制部材と協働するように配置され、前記複数の足場用建枠の内側と接触して前記複数の足場用建枠の段積み位置を規制する複数の建枠内側規制部材とを略水平方向に設置されている基底部材に備え、前記複数の建枠外側規制部材の上端部は、外側から内側に向かって低くなるように傾斜するテーパ形状を有し、前記複数の建枠内側規制部材の上端部は、前記複数の建枠外側規制部材の上端部とは逆方向に傾斜するテーパ形状を有していることを特徴とする。
【００１１】
斯かる構成により、外側から内側に向かって低くなるように傾斜するテーパ形状を有する複数の建枠外側規制部材の上端部と、前記複数の建枠外側規制部材の上端部とは逆方向に傾斜するテーパ形状を有する複数の建枠内側規制部材の上端部とが、平積み状態にある複数の足場用建枠を誘導し、複数の建枠外側規制部材と複数の建枠内側規制部材との間で複数の足場用建枠の段積み位置を整える。これにより、作業者は複数の足場用建枠を正確に位置決めして段積みしなくても、低コストの足場用建枠整理具により、複数の足場用建枠を正確に位置決めして段積みすることができる。
【００１２】
第２発明に係る足場用建枠整理具は、第１発明において、前記複数の建枠外側規制部材は、前記複数の建枠内側規制部材と同数設けられており、それぞれ前記複数の建枠内側規制部材と対向して配置してあることが好ましい。
【００１３】
斯かる構成により、複数の建枠外側規制部材の一つと複数の建枠内側規制部材の一つとが互いに対向して配置されるので、複数の足場用建枠を正確に位置決めして段積みすることができる。
【００１４】
第３発明に係る足場用建枠整理具は、第２発明において、前記複数の足場用建枠はそれぞれ、一対の縦杆と、該一対の縦杆の一端間を連結する横杆と、前記横杆の両内側部から前記一対の縦杆の他端方向へ延伸し前記一対の縦杆に結合する一対の補強材とからなる鳥居型建枠であり、前記複数の建枠外側規制部材は、前記横杆の外側に接触することで前記複数の足場用建枠の段積み位置を規制する少なくとも２個の横杆外側規制部材と、前記縦杆の外側に接触することで前記複数の足場用建枠の段積み位置を規制する少なくとも４個の縦杆外側規制部材とを備え、前記複数の建枠内側規制部材は、前記横杆の内側に接触することで前記複数の足場用建枠の段積み位置を規制する少なくとも２個の横杆内側規制部材と、前記縦杆又は前記補強材の内側と接触することで前記複数の足場用建枠の段積み位置を規制する少なくとも４個の縦杆又は補強材内側規制部材とを備え、少なくとも２個の前記横杆外側規制部材及び少なくとも２個の前記横杆内側規制部材の高さは、少なくとも４個の前記縦杆外側規制部材及び少なくとも４個の前記縦杆又は補強材内側規制部材の高さよりも低いことが好ましい。
【００１５】
斯かる構成により、少なくとも４個の縦杆外側規制部材の上端部と少なくとも４個の縦杆又は補強材内側規制部材の上端部とが複数の足場用建枠の縦杆及び補強材を誘導し、次いで、少なくとも２個の横杆外側規制部材の上端部と少なくとも２個の横杆内側規制部材の上端部とが複数の足場用建枠の横杆を誘導する。これにより、幅広である一対の縦杆及び一対の補強材の横方向位置を決めた後、横杆の縦方向位置を正確に決めることができる。
【００１６】
第４発明に係る足場用建枠整理具は、第３発明において、少なくとも２個の前記横杆内側規制部材のそれぞれの上端部近傍と、少なくとも４個の前記縦杆又は補強材内側規制部材のうちの少なくとも２個の縦杆又は補強材内側規制部材の上端部近傍とを連結する少なくとも２個の連結部材をさらに備えることが好ましい。
【００１７】
斯かる構成により、少なくとも２個の連結部材が、少なくとも２個の横杆内側規制部材のそれぞれの上端部近傍と、少なくとも２個の縦杆又は補強材内側規制部材の上端部近傍とを連結するので、少なくとも２個の横杆内側規制部材を略水平方向の荷重に対して補強することができ、横杆の縦方向位置の位置決め精度を向上させる。
【００１８】
第５発明に係る足場用建枠整理具は、第４発明において、少なくとも２個の前記連結部材はそれぞれ上面視でＴ字形状を有していることが好ましい。
【００１９】
斯かる構成により、簡単なＴ字形構造で、少なくとも２個の連結部材を形成することができる。
【発明の効果】
【００２０】
本発明によれば、複数の足場用建枠を正確に位置決めして段積みすることができる、低コストの足場用建枠整理具を提供することが可能となる。
【発明を実施するための最良の形態】
【００２１】
以下、本発明の実施の形態について、図面を参照して説明する。なお、各図面を通じて、同一の構成を有する要素については、同一の符号を付している。
【００２２】
まず、本発明の一実施の形態に係る足場用建枠整理具について説明する前に、本実施の形態で適用される足場用建枠として鳥居型建枠について説明する。図６は、鳥居型建枠の一構成例を示す平面図である。図６において、鳥居型建枠１０００は、一対の縦杆１００１、１００１と、一対の縦杆１００１、１００１の一端１００１ａ、１００１ａ間を連結する横杆１００２と、横杆１００２の両内側部１００２ａ、１００２ｂから一対の縦杆１００１、１００１に水平にかつ一対の縦杆１００１、１００１の他端１００１ｂ、１００１ｂに向かって延伸し、一対の縦杆１００１、１００１に結合する一対の補強材１００３、１００３とから構成される。
【００２３】
図１は、本発明の一実施の形態に係る足場用建枠整理具の一外観構成例を示す斜視図、図２、図３、図４及び図５は、それぞれ、本実施の形態に係る足場用建枠整理具の正面図、右側面図、左側面図及び平面図である。以下、図１乃至図５を参照して、本実施の形態に係る足場用建枠整理具について説明する。
【００２４】
図１において、足場用建枠整理具１は、２個の横杆外側規制部材１１１、１１２（図３及び図４参照）と、４個の縦杆外側規制部材１２１、１２２、１２３、１２４と、２個の横杆内側規制部材２１１、２１２と、４個の縦杆又は補強材内側規制部材２２１、２２２、２２３、２２４と、２個の連結部材３１、３２と、基底部材５、６、４１、４２、７１、７２と、補強部材８１、８２、８３、８４、８５、８６とから構成される。なお、２個の横杆外側規制部材１１１、１１２と、４個の縦杆外側規制部材１２１、１２２、１２３、１２４とは、６個の建枠外側規制部材に相当し、２個の横杆内側規制部材２１１、２１２と、４個の縦杆又は補強材内側規制部材２２１、２２２、２２３、２２４とは、６個の建枠内側規制部材に相当する。
【００２５】
ここで、「建枠外側規制部材」とは、複数の鳥居型建枠１０００（図６）を収納する場合に、鳥居型建枠１０００の外側と接触して該複数の鳥居型建枠１０００の段積み位置、すなわち略水平方向の位置を規制する部材を意味する。すなわち「横杆外側規制部材」、及び「縦杆外側規制部材」を含む概念である。
【００２６】
「建枠内側規制部材」とは、複数の鳥居型建枠１０００の内側と接触して該複数の鳥居型建枠１０００の段積み位置、すなわち略水平方向の位置を規制する部材を意味する。すなわち「横杆内側規制部材」、及び「縦杆又は補強材内側規制部材」を含む概念である。
【００２７】
「横杆外側規制部材」とは、複数の鳥居型建枠１０００を収納する場合に、鳥居型建枠１０００の外側と接触して横杆１００２（図６）の段積み位置、すなわち略水平方向の位置を規制する部材を、「横杆内側規制部材」とは、複数の鳥居型建枠１０００の内側と接触して横杆１００２（図６）の段積み位置、すなわち略水平方向の位置を規制する部材を、それぞれ意味する。また、「縦杆外側規制部材」とは、複数の鳥居型建枠１０００を収納する場合に、複数の鳥居型建枠１０００の外側と接触して縦杆１００１（図６）の段積み位置、すなわち略水平方向の位置を規制する部材を、「縦杆又は補強材内側規制部材」とは、複数の鳥居型建枠１０００の内側と接触して縦杆１００１又は補強材１００３（図６）の段積み位置、すなわち水平方向の位置を規制する部材を、それぞれ意味する。
【００２８】
横杆外側規制部材１１１と横杆内側規制部材２１１とは互いに対向しており、また横杆外側規制部材１１２と横杆内側規制部材２１２とは互いに対向している。また、上述した規制部材の各下端部１１１ａ、２１１ａ、１１２ａ、２１２ａが基底部材５に固定されている。
【００２９】
横杆外側規制部材１１１、１１２及び横杆内側規制部材２１１、２１２は、それぞれ上方に延伸する四角柱形状を有する直立部材である。また、横杆外側規制部材１１１、１１２及び横杆内側規制部材２１１、２１２の高さは、縦杆外側規制部材１２１、１２２、１２３、１２４及び縦杆又は補強材内側規制部材２２１、２２２、２２３、２２４の高さよりも低い。斯かる構成により、幅広である一対の縦杆１００１及び一対の補強材１００３の横方向位置を決めた後、横杆１００２の縦方向位置を正確に決めることができる。
【００３０】
横杆外側規制部材１１１の上端部１１１ｂは、外側から内側に向かって漸次低くなるように傾斜するテーパ形状を有し、横杆内側規制部材２１１の上端部２１１ｂは、横杆外側規制部材１１１の上端部１１１ｂとは逆方向に傾斜するテーパ形状を有する。また、横杆外側規制部材１１２の上端部１１２ｂは、外側から内側に向かって漸次低くなるように傾斜するテーパ形状を有し、横杆内側規制部材２１２の上端部２１２ｂは、横杆外側規制部材１１２の上端部１１２ｂとは逆方向に傾斜するテーパ形状を有する。
【００３１】
また、補強部材８３が、横杆外側規制部材１１１と基底部材５との間に斜めに設けられ、補強部材８６が、横杆外側規制部材１１２と基底部材５との間に斜めに設けられている。
【００３２】
縦杆外側規制部材１２１と縦杆又は補強材内側規制部材２２１とは互いに対向し、縦杆外側規制部材１２４と縦杆又は補強材内側規制部材２２４とは互いに対向し、規制部材の各下端部１２１ａ、２２１ａ、１２４ａ、２２４ａが基底部材４１に固定されている。縦杆外側規制部材１２１、１２４、縦杆又は補強材内側規制部材２２１、２２４は、それぞれ上方に延伸する四角柱形状を有する直立部材である。
【００３３】
縦杆外側規制部材１２１の上端部１２１ｂは、外側から内側に向かって漸次低くなるように傾斜するテーパ形状を有し、縦杆又は補強材内側規制部材２２１の上端部２２１ｂは、縦杆外側規制部材１２１の上端部１２１ｂとは逆方向に傾斜するテーパ形状を有する。また、縦杆外側規制部材１２４の上端部１２４ｂは、外側から内側に向かって漸次低くなるように傾斜するテーパ形状を有し、縦杆又は補強材内側規制部材２２４の上端部２２４ｂは、縦杆外側規制部材１２４の上端部１２４ｂとは逆方向に傾斜するテーパ形状を有する。
【００３４】
また、補強部材８１が、縦杆外側規制部材１２１と基底部材４１との間に斜めに設けられ、補強部材８５が、縦杆外側規制部材１２４と基底部材４１との間に斜めに設けられている。
【００３５】
縦杆外側規制部材１２２と縦杆又は補強材内側規制部材２２２とは互いに対向し、縦杆外側規制部材１２３と縦杆又は補強材内側規制部材２２３とは互いに対向し、各下端部１２２ａ、２２２ａ、１２３ａ、２２３ａが基底部材４２に固定されている。縦杆外側規制部材１２２、１２３、縦杆又は補強材内側規制部材２２２、２２３は、それぞれ上方に延伸する四角柱形状を有する直立部材である。
【００３６】
縦杆外側規制部材１２２の上端部１２２ｂは、外側から内側に向かって漸次低くなるように傾斜するテーパ形状を有し、縦杆又は補強材内側規制部材２２２の上端部２２２ｂは、縦杆外側規制部材１２２の上端部１２２ｂとは逆方向に傾斜するテーパ形状を有する。また、縦杆外側規制部材１２３の上端部１２３ｂは、外側から内側に向かって漸次低くなるように傾斜するテーパ形状を有し、縦杆又は補強材内側規制部材２２３の上端部２２３ｂは、縦杆外側規制部材１２３の上端部１２３ｂとは逆方向に傾斜するテーパ形状を有する。
【００３７】
また、補強部材８２が、縦杆外側規制部材１２２と基底部材４２との間に斜めに設けられ、補強部材８４が、縦杆外側規制部材１２３と基底部材４２との間に斜めに設けられている。
【００３８】
基底部材６が、基底部材４１の一端４１ａと基底部材４２の一端４２ａを支持し、基底部材７１が、基底部材４１の他端４１ｂを支持し、基底部材７２が、基底部材４２の他端４２ｂを支持している。また、基底部材５は、基底部材４１の中央部と基底部材４２の中央部を支持している。
【００３９】
また、連結部材３１が、横杆内側規制部材２１１の上端部２１１ｂの近傍と、縦杆又は補強材内側規制部材２２２の上端部２２２ｂの近傍及び縦杆又は補強材内側規制部材２２３の上端部２２３ｂの近傍とを連結し、連結部材３２が、横杆内側規制部材２１２の上端部２１２ｂの近傍と、縦杆又は補強材内側規制部材２２１の上端部２２１ｂの近傍及び縦杆又は補強材内側規制部材２２４の上端部２２４ｂの近傍とを連結している。連結部材３１、３２は、上面視でＴ字形状を有する（図５参照）。
【００４０】
次に、このように構成された足場用建枠整理具１により、複数の鳥居型建枠１０００の段積み位置が正確に位置決めされる様子について、図７、図８、図９及び図１０を参照して説明する。
【００４１】
まず、建物の建設や外壁塗装が完了すると、足場を構築していた複数の鳥居型建枠１０００、１０００、・・・は、一本一本に分解されて不具合箇所の点検及び付着物の清掃の後、フォークリフトの爪が入るように地面に敷いた２本の角材（図示しない）上に積み上げられる。このとき、作業者は、複数の鳥居型建枠１０００、１０００、・・・の段積み位置を正確に位置決めすることなく、複数の鳥居型建枠１０００、１０００、・・・の横方向位置をずらし縦方向位置を反転させながら積み上げ作業を行う。これは、段積みする場合の容積効率を上げ、また結束を容易にするためである。
【００４２】
次に、フォークリフトが、２本の角材の間に爪を挿入し、平積みにされた複数の鳥居型建枠１０００、１０００、・・・を持ち上げて、足場用建枠整理具１が設置されている場所まで複数の鳥居型建枠１０００、１０００、・・・を移送する。図７は、複数の鳥居型建枠１０００、１０００、・・・を足場用建枠整理具１の上方にまでフォークリフトで移送した状態を示す側面図である。
【００４３】
フォークリフトの爪が徐々に下がると、まず、複数の鳥居型建枠１０００の縦杆１００１の外縁が、縦杆外側規制部材１２１の上端部１２１ｂ、縦杆外側規制部材１２２の上端部１２２ｂ、縦杆外側規制部材１２３の上端部１２３ｂ、及び縦杆外側規制部材１２４の上端部１２４ｂに形成されている各テーパ形状部分に誘導され、縦杆１００１又は補強材１００３の外縁が、縦杆又は補強材内側規制部材２２１の上端部２２１ｂ、縦杆又は補強材内側規制部材２２２の上端部２２２ｂ、縦杆又は補強材内側規制部材２２３の上端部２２３ｂ、及び縦杆又は補強材内側規制部材２２４の上端部２２４ｂに形成されている各テーパ形状に誘導されながら、縦杆１００１及び補強材１００３の段積み位置のうち、横方向の位置の位置決めが行われる。
【００４４】
フォークリフトの爪がさらに下がると、複数の鳥居型建枠１０００の横杆１００２の外縁が、横杆外側規制部材１１１の上端部１１１ｂ及び対向する横杆内側規制部材２１１の上端部２１１ｂに形成されている各テーパ形状に誘導され、横杆外側規制部材１１２の上端部１１２ｂ及び対向する横杆内側規制部材２１２の上端部２１２ｂに形成されている各テーパ形状に誘導されながら、横杆１００２の段積み位置のうち、縦方向の位置の位置決めが行われる。ここで、連結部材３１、３２が、２個の横杆内側規制部材２１１、２１２を略水平方向の荷重に耐え得るよう補強しているので、横杆１００２の縦方向位置の位置決め精度を上げることができる。図８は、複数の鳥居型建枠１０００、１０００、・・・を足場用建枠整理具１内に導入している状態を示す側面図である。
【００４５】
このようにして、まず、幅広の一対の縦杆１００１及び一対の補強材１００３の段積み位置のうち横方向の位置を決めて、次に、横杆１００２の縦方向の位置を決めることにより、複数の鳥居型建枠１０００、１０００、・・・の横方向及び縦方向の段積み位置の位置決めを正確に行うことができる。図９は、複数の鳥居型建枠１０００、１０００、・・・を足場用建枠整理具１内に完全に導入した状態を示す側面図、図１０は、複数の鳥居型建枠１０００、１０００、・・・を足場用建枠整理具１に収納した状態の平面図である。
【００４６】
なお、本実施の形態では、６個の建枠外側規制部材１１１、１１２、１２１、１２２、１２３、１２４及び６個の建枠内側規制部材２１１、２１２、２２１、２２２、２２３、２２４が設けられた構成について説明したが、本発明は斯かる構成に限定されず、偶数個であれば、６個以上の建枠外側規制部材及び６個以上の建枠内側規制部材が設けられた構成としてもよいし、収納対象となる建枠の形状によっては、６個以下の建枠外側規制部材及び６個以下の建枠内側規制部材が設けられた構成としてもよいことは言うまでもない。また、建枠の段積み方法の相違によって、建枠外側規制部材及び建枠内側規制部材の個数が変動しても良い。
【００４７】
また、本実施の形態では、６個の建枠外側規制部材１１１、１１２、１２１、１２２、１２３、１２４及び６個の建枠内側規制部材２１１、２１２、２２１、２２２、２２３、２２４の上端部の形状としてテーパ形状を例示及び説明したが、例えば、外側に丸みを付けた形状としてもよい。この構成によれば、複数の鳥居型建枠１０００、１０００、・・・を足場用建枠整理具の内側へ確実に誘導することができ、縦杆１００１、横杆１００２及び補強材１００３の外縁に傷が付くのを抑えることができる。
【００４８】
さらに、６個の建枠外側規制部材１１１、１１２、１２１、１２２、１２３、１２４の上端部にテーパ形状を用いず、外側へ屈曲した屈曲部を形成しても良い。図１１は、屈曲部を形成した場合の足場用建枠整理具の正面図である。このように建枠外側規制部材１１１、１１２、１２１、１２２、１２３、１２４についてのみ、建枠内側規制部材２１１、２１２、２２１、２２２、２２３、２２４より高い位置にて外側へ屈曲した屈曲部１１１ｃ、１１２ｃ、１２１ｃ、１２２ｃ、１２３ｃ、１２４ｃを形成することによっても、複数の鳥居型建枠１０００、１０００、・・・を足場用建枠整理具の内側へ確実に誘導することができ、縦杆１００１、横杆１００２及び補強材１００３の外縁に傷が付くのを抑えることができる。
【００４９】
なお、本実施の形態では、足場用建枠として鳥居型建枠を用いた場合について説明しているが、鳥居型建枠と同様の収納方法で片付ける他の足場用建枠であっても、同様の構成の足場用建枠整理具を用いることにより同様の効果が期待できる。例えば、鳥居型建枠よりも簡素な構造である簡易枠を用いてもよい。
【００５０】
図１２は、簡易枠の一構成例を示す平面図である。図１２において、簡易枠２０００は、一対の縦杆２００１、２００１と、一対の縦杆２００１、２００１の一端２００１ａ、２００１ａ間を連結する横杆２００２と、横杆２００２の中央近傍の両内側部２００２ａ、２００２ｂから一対の縦杆２００１、２００１の他端２００１ｂ、２００１ｂに向かって斜めに設けられた一対の補強材２００３、２００３とから構成される。
【００５１】
このような簡易枠２０００を用いる場合であっても、複数の簡易枠２０００、２０００、・・・を足場用建枠整理具の内側へ確実に誘導することができ、縦杆２００１、横杆２００２及び補強材２００３の外縁に傷が付くのを抑えることができる。
【産業上の利用可能性】
【００５２】
本発明にかかる足場用建枠整理具は、低コストで、複数の足場用建枠を正確に位置決めして段積みすることができるという利点を有し、建物の建設や外壁塗装が完了した後の建築現場で複数の足場用建枠を整理する道具として有用である。
【図面の簡単な説明】
【００５３】
【図１】本発明の一実施の形態に係る足場用建枠整理具の一外観構成例を示す斜視図
【図２】本実施の形態に係る足場用建枠整理具の正面図
【図３】本実施の形態に係る足場用建枠整理具の右側面図
【図４】本実施の形態に係る足場用建枠整理具の左側面図
【図５】本実施の形態に係る足場用建枠整理具の平面図
【図６】鳥居型建枠の一構成例を示す平面図
【図７】複数の鳥居型建枠を足場用建枠整理具の上方にまでフォークリフトで移送した状態を示す側面図
【図８】複数の鳥居型建枠を足場用建枠整理具内に導入している状態を示す側面図
【図９】複数の鳥居型建枠を足場用建枠整理具内に完全に導入した状態を示す側面図
【図１０】複数の鳥居型建枠を足場用建枠整理具に収納した状態の平面図
【図１１】屈曲部を形成した場合の足場用建枠整理具の正面図
【図１２】簡易枠の一構成例を示す平面図
【符号の説明】
【００５４】
１  足場用建枠整理具
１１１、１１２  横杆外側規制部材（建枠外側規制部材）
１１１ａ、１１２ａ  横杆外側規制部材の下端部
１１１ｂ、１１２ｂ  横杆外側規制部材の上端部
１２１、１２２、１２３、１２４  縦杆外側規制部材（建枠外側規制部材）
１２１ａ、１２２ａ、１２３ａ、１２４ａ  縦杆外側規制部材の下端部
１２１ｂ、１２２ｂ、１２３ｂ、１２４ｂ  縦杆外側規制部材の上端部
１１１ｃ、１１２ｃ、１２１ｃ、１２２ｃ、１２３ｃ、１２４ｃ  屈曲部
２１１、２１２  横杆内側規制部材（建枠内側規制部材）
２１１ａ、２１２ａ  横杆内側規制部材の下端部
２１１ｂ、２１２ｂ  横杆内側規制部材の上端部
２２１、２２２、２２３、２２４  縦杆又は補強材内側規制部材（建枠内側規制部材）
２２１ａ、２２２ａ、２２３ａ、２２４ａ  縦杆又は補強材内側規制部材の下端部
２２１ｂ、２２２ｂ、２２３ｂ、２２４ｂ  縦杆又は補強材内側規制部材の上端部
１０００  鳥居型建枠
１００１  縦杆
１００１ａ  縦杆の一端
１００１ｂ  縦杆の他端
１００２  横杆
１００２ａ、１００２ｂ  横杆内側部
１００３  補強材
２０００  簡易枠
【図１】
2009114763.tif 000003
【図２】
2009114763.tif 000004
【図３】
2009114763.tif 000005
【図４】
2009114763.tif 000006
【図５】
2009114763.tif 000007
【図６】
2009114763.tif 000008
【図７】
2009114763.tif 000009
【図８】
2009114763.tif 000010
【図９】
2009114763.tif 000011
【図１０】
2009114763.tif 000012
【図１１】
2009114763.tif 000013
【図１２】
2009114763.tif 000014